(57)【要約】      （修正有）【課題】被災地各地における様々な作業状況の屋外仮置き場において、廃棄物の放射能濃度の測定が可能な放射能濃度測定装置用コンテナを提供する。【解決手段】廃棄物の放射能濃度を測定する放射能濃度測定装置を設置する放射能濃度測定装置用コンテナ１０を、コンテナ本体１１は、放射能濃度測定装置を設置する床板１２と、床板から立ち上がる周壁パネル１３と、床板に対向する天井パネル１４と、を備えるとともに、その内部に放射能濃度測定装置を設置した状態で搬送可能に構成され、周壁パネル及び天井パネルには、コンテナ本体に対して被検体である廃棄物を搬出入するための搬出入口が形成され、コンテナ本体の設置状況に応じて、廃棄物を搬出入する搬出入口の位置が開閉扉２５の移動により変更可能であるように構成する。【選択図】図１
0003192080.tif 000002
【実用新案登録請求の範囲】
【請求項１】
廃棄物の放射能濃度を測定する放射能濃度測定装置を設置する放射能濃度測定装置用コンテナであって、
コンテナ本体は、前記放射能濃度測定装置を設置する床板と、前記床板から立ち上がる周壁パネルと、前記床板に対向する天井パネルと、を備えるとともに、その内部に前記放射能濃度測定装置を設置した状態で搬送可能に構成され、
前記周壁パネル及び前記天井パネルには、前記コンテナ本体に対して被検体である廃棄物を搬出入するための搬出入口が形成され、
コンテナ本体の設置状況に応じて、前記廃棄物を搬出入する前記搬出入口の位置が変更可能であること
を特徴とする放射能濃度測定装置用コンテナ。
【請求項２】
前記周壁パネルに形成される搬出入口には、コンテナ本体内へ前記廃棄物を搬送するための搬送手段が設けられていることを特徴とする請求項１に記載の放射能濃度測定装置用コンテナ。
【請求項３】
前記放射能濃度測定装置の測定結果に応じて、前記コンテナ本体内の廃棄物を搬出すべき搬出入口が決定されることを特徴とする請求項１又は請求項２に記載の放射能濃度測定装置用コンテナ。
【請求項４】
前記放射能濃度測定装置の測定位置には、前記廃棄物を前記測定位置に案内するためのガイド部材が設けられていることを特徴とする請求項１から請求項３のいずれか１項に記載の放射能濃度測定装置用コンテナ。
【請求項５】
前記廃棄物は、搬送用パレットに載置された状態で前記コンテナ本体に対して搬出入され、
前記コンテナ本体には、前記廃棄物を搬出する搬出入口に搬送された前記搬送用パレットを、前記廃棄物を搬入する搬出入口まで戻すパレットリターン装置を備えること
を特徴とする請求項１から請求項４のいずれか１項に記載の放射能濃度測定装置用コンテナ。
【請求項６】
前記放射能濃度測定装置を設置する前記床板に放射線を遮蔽する遮蔽板を敷設することを特徴とする請求項１から請求項５のいずれか１項に記載の放射能濃度測定装置用コンテナ。
【考案の詳細な説明】
【技術分野】
【０００１】
本考案は、廃棄物中の放射能濃度を測定する放射能濃度測定装置を設置する放射能濃度測定装置用コンテナに関する。
【背景技術】
【０００２】
２０１１年の東北地方太平洋沖地震により発生した大津波は、被災地の家屋や建造物を倒壊させるだけでなく、深刻な原発事故を引き起こした。このため、家屋や建造物の倒壊により生じた廃棄物（災害廃棄物）の中には放射能で汚染されているものも多く、これら廃棄物を早期に処理することが、震災復興のために不可欠である。
【０００３】
上記廃棄物の処理に際しては、まず、廃棄物の放射能濃度を測定し、その放射能濃度によって、上記廃棄物を焼却処分するか、放射性廃棄物として厳格に管理等するかを判断している。ここで、廃棄物の放射能濃度を測定するために、放射能濃度測定装置が使用されている。
【０００４】
従来の放射能濃度測定装置として、廃棄物等の被検体の放射能濃度を、当該被検体の底部からシンチレータで測定するものが提案されている（例えば、特許文献１参照）。
【０００５】
特許文献１の放射能濃度測定装置においては、運送用トラックの荷台上に載置された放射能濃度測定装置の上部に被検体を載置して被検体の放射能濃度を測定する。このような放射能濃度測定装置を、上記廃棄物が保管されている被災地各地の屋外仮置き場まで搬送し測定を行う。
【先行技術文献】
【特許文献】
【０００６】
【特許文献１】特開２００１−２７６５９４号公報
【考案の概要】
【考案が解決しようとする課題】
【０００７】
しかしながら、被災地各地における屋外仮置き場の作業状況は場所によって様々であり、例えば、特許文献１のような放射能濃度測定装置を載置した運送用トラックが乗り入れできない場所、或いは前記運送用トラックに設けられたクレーンにより廃棄物を吊り下げて搬出入することのできない場所がある。そのため、このような屋外仮置き場においては、廃棄物の放射能濃度を測定することができず問題であった。
【０００８】
そこで、本考案は、被災地各地における様々な作業状況の屋外仮置き場において、廃棄物の放射能濃度の測定が可能な放射能濃度測定装置用コンテナを提供することを目的とする。
【課題を解決するための手段】
【０００９】
本考案の解決しようとする課題は以上であり、次にこの課題を解決するための手段を説明する。
【００１０】
即ち、請求項１に係る放射能濃度測定装置用コンテナは、廃棄物の放射能濃度を測定する放射能濃度測定装置を設置する放射能濃度測定装置用コンテナであって、コンテナ本体は、前記放射能濃度測定装置を設置する床板と、前記床板から立ち上がる周壁パネルと、前記床板に対向する天井パネルと、を備えるとともに、その内部に前記放射能濃度測定装置を設置した状態で搬送可能に構成され、前記周壁パネル及び前記天井パネルには、前記コンテナ本体に対して被検体である廃棄物を搬出入するための搬出入口が形成され、コンテナ本体の設置状況に応じて、前記廃棄物を搬出入する前記搬出入口の位置が変更可能であるものである。
【００１１】
請求項２に係る放射能濃度測定装置用コンテナは、請求項１に係る放射能濃度測定装置用コンテナにおいて、前記周壁パネルに形成される搬出入口には、コンテナ本体内へ前記廃棄物を搬送するための搬送手段が設けられているものである。
【００１２】
請求項３に係る放射能濃度測定装置用コンテナは、請求項１又は請求項２に係る放射能濃度測定装置用コンテナにおいて、前記放射能濃度測定装置の測定結果に応じて、前記コンテナ本体内の廃棄物を搬出すべき搬出入口が決定されるものである。
【００１３】
請求項４に係る放射能濃度測定装置用コンテナは、請求項１から請求項３のいずれか１項に係る放射能濃度測定装置用コンテナにおいて、前記放射能濃度測定装置の測定位置には、前記廃棄物を前記測定位置に案内するためのガイド部材が設けられているものである。
【００１４】
請求項５に係る放射能濃度測定装置用コンテナは、請求項１から請求項４のいずれか１項に係る放射能濃度測定装置用コンテナにおいて、前記廃棄物は、搬送用パレットに載置された状態で前記コンテナ本体に対して搬出入され、前記コンテナ本体には、前記廃棄物を搬出する搬出入口に搬送された前記搬送用パレットを、前記廃棄物を搬入する搬出入口まで戻すパレットリターン装置を備えるものである。
【００１５】
請求項６に係る放射能濃度測定装置用コンテナは、請求項１から請求項５のいずれか１項に係る放射能濃度測定装置用コンテナにおいて前記放射能濃度測定装置を設置する前記床板に放射線を遮蔽する遮蔽板を敷設するものである。
【考案の効果】
【００１６】
本考案によれば、コンテナ本体がその内部に放射能濃度測定装置を設置した状態で搬送可能に構成されるとともに、コンテナ本体に対して廃棄物を搬出入する搬出入口の位置が、コンテナの設置状況に応じて変更可能であることから、被災地各地における様々な作業状況の屋外仮置き場において、廃棄物の放射能濃度の測定を行うことができる。
【図面の簡単な説明】
【００１７】
【図１】本考案の実施例１に係る放射能濃度測定装置用コンテナの斜視図である。
【図２】（ａ）は、同放射能濃度測定装置用コンテナの側面図、（ｂ）は、同放射能濃度測定装置用コンテナの平面図である。
【図３】（ａ）は、同放射能濃度測定装置用コンテナの開閉扉の別実施例を示す平面図、（ｂ）は、（ａ）のＡ−Ａ断面図である。
【図４】（ａ）は、同放射能濃度測定装置用コンテナにガイド部材を設けた場合の放射能濃度測定装置用コンテナの平面図、（ｂ）は、（ａ）のＢ−Ｂ断面図、（ｃ）は、ガイド部材の正面図である。
【図５】（ａ）は、本考案の実施例２に係る放射能濃度測定装置用コンテナの側面断面図、（ｂ）は、同放射能濃度測定装置用コンテナの平面図である。
【図６】同放射能濃度測定装置用コンテナに搬出入口を追加した場合の放射能濃度測定装置用コンテナの平面図である。
【図７】同放射能濃度測定装置用コンテナのコンベアの別実施例を示す側面断面図である。
【考案を実施するための形態】
【００１８】
まず、本考案に係る放射能濃度測定装置用コンテナの第１実施例（コンテナ１０）について図面に基づき説明する。
【００１９】
図１及び図２に示すように、第１実施例に係るコンテナ１０は、廃棄物の放射能濃度を測定する放射能濃度測定装置５０をその内部に設置して廃棄物の放射能濃度を測定するためのコンテナである。コンテナ１０においては、廃棄物が収納されたフレコン５（フレキシブルコンテナバッグ）が、例えば、屋外仮置き場からコンテナ１０内に搬送され、搬送されたフレコン５内の廃棄物の放射能濃度を放射能濃度測定装置５０により測定する。
【００２０】
コンテナ１０は、その内部に放射能濃度測定装置５０を設置するためのコンテナ本体１１と、コンテナ本体１１をクレーン等で吊下げるための吊下げ部１５と、から主に構成されている。
【００２１】
コンテナ本体１１は、中空状の箱体であり、コンテナ本体１１の床面を形成する床板１２と、床板１２の四方から立ち上がり、コンテナ本体１１の側壁を形成する周壁パネル１３と、床板１２に対向してコンテナ本体１１の天井を形成する天井パネル１４と、から構成される。
【００２２】
吊下げ部１５は、コンテナ本体１１の天井部の四隅に形成され、クレーン等の吊り治具を係止可能な構成となっている。吊下げ部１５をコンテナ本体１１の上部に設けることで、クレーン等よるコンテナ１０の吊り下げ移動が可能となる。
【００２３】
図２に示すように、コンテナ本体１１は、その内部に、搬送されたフレコン５内の廃棄物の放射能濃度を測定する測定室１６と、測定室１６内の放射能濃度測定装置５０を制御するための制御室１７と、が設けられている。図２(ｂ)に示すように、測定室１６と制御室１７との間は、例えば、鉛ガラスのような放射線遮断部材１８により仕切られており、測定室１６における放射線を遮蔽するとともに、測定室１６内の状況が制御室１７から見えるように構成されている。
【００２４】
測定室１６は、コンテナ本体１１の主たる部分に形成され、パレット６上に載置されたフレコン５内の廃棄物の放射能濃度を測定する放射能濃度測定装置５０が設置されている。また、測定室１６を形成する周壁パネル１３（放射能濃度測定装置５０のシンチレータ５１側の周壁パネル１３）には、作業者が測定室１６内に入るための第１小扉１９が形成されている。
【００２５】
測定室１６に設置される放射能濃度測定装置５０は、１又は複数のシンチレータ５１と、フレコン５の高さを測定する高さ測定装置５２と、フレコン５の直径を測定する直径測定装置５３と、廃棄物の重量を測定する重量計５４と、台座５５と、載置台５６と、回転装置５７と、から構成される。
【００２６】
放射能濃度測定装置５０においては、フレコン５に収納された廃棄物をパレット６（「搬送用パレット」の一例）上に載置した状態で、台座５５上に配置された重量計５４上の載置台５６（放射能濃度測定装置５０の測定位置）に搬入する。その後、まず、フレコン５に収納された廃棄物の重量を重量計５４で測定する。次に、高さ測定装置５２にてフレコン５を上部から押圧し、フレコン５内の廃棄物を圧縮して、廃棄物間の隙間を減少させた状態で、フレコン５の高さを測定する。同時に、直径測定装置５３の１対のレーザ照射器からレーザを照射することにより、フレコン５の直径を測定する。また、シンチレータ５１によりフレコン５に収納された廃棄物の放射線量を測定し、放射能濃度を算出する。シンチレータ５１による放射線量測定及び直径測定装置５３によるフレコン５の直径の測定の際には、載置台５６上のフレコン５を回転装置５７により回転させる。
【００２７】
次に、フレコン５の高さ及び直径からフレコン５に収納された廃棄物の体積を算出する。さらに、測定した重量と算出した体積から、フレコン５に収納された廃棄物の平均密度を算出する。そして、平均密度により、廃棄物自体の放射線の自己吸収作用を考慮した計数効率を選択し、廃棄物の放射能濃度を補正する。
【００２８】
図２（ｂ）に示すように、制御室１７は、コンテナ本体１１の一端部に形成され、放射能濃度測定装置５０を制御するための制御装置２０（制御盤）が設置される。制御装置２０は、放射能濃度測定装置５０に接続され、放射能濃度測定装置５０の動作制御、廃棄物の放射能濃度の演算等を行う。また、制御室１７を形成する周壁パネル１３には、作業者が制御室１７内に入るための第２小扉２３が形成されている。
【００２９】
また、コンテナ本体１１には、その天井部及び一方の側壁部に、フレコン５をコンテナ本体１１に対して搬出入するための搬出入口２１が形成されている。搬出入口２１は、コンテナ本体１１の天井部の中央、すなわち、放射能濃度測定装置５０の測定位置（載置台５６）の真上、の天井パネル１４と、コンテナ本体１１の一方の側壁部の中央、すなわち、放射能濃度測定装置５０の測定位置の真横、の周壁パネル１３と、をそれぞれ開口することにより形成される。
【００３０】
このように、コンテナ本体１１の天井部及び側壁部に、搬出入口２１が形成されることで、コンテナ本体１１へのフレコン５の搬送が、縦搬送（コンテナ本体１１の天井部からの搬送）及び横搬送（コンテナ本体１１の側壁部からの搬送）の双方が可能となり、被災地各地における様々な作業状況の屋外仮置き場において、フレコン５をコンテナ本体１１内に搬送することができる。
【００３１】
例えば、フレコン５のコンテナ１０への搬出入方法としては、以下の方法が可能となる。
【００３２】
第１の方法としては、クレーン等により吊り下げたフレコン５を、コンテナ本体１１の天井部の搬出入口２１から搬入（縦搬送）し、放射能濃度を測定後、再度、フレコン５をクレーン等により吊り上げてコンテナ本体１１の天井部の搬出入口２１から搬出（縦搬送）する方法である。
【００３３】
第２の方法としては、クレーン等により吊り下げたフレコン５を、コンテナ本体１１の天井部の搬出入口２１から搬入（縦搬送）し、放射能濃度を測定後、フォークリフト等によりフレコン５をコンテナ本体１１の側壁部の搬出入口２１から搬出（横搬送）する方法である。
【００３４】
第３の方法としては、フォークリフト等によりフレコン５をコンテナ本体１１の側壁部の搬出入口２１から搬入（横搬送）し、放射能濃度を測定後、フレコン５をクレーン等により吊り上げてコンテナ本体１１の天井部の搬出入口２１から搬出（縦搬送）する方法である。
【００３５】
第４の方法としては、フォークリフト等によりフレコン５をコンテナ本体１１の側壁部の搬出入口２１から搬入（横搬送）し、放射能濃度を測定後、再度、フォークリフト等によりフレコン５をコンテナ本体１１の側壁部の搬出入口２１から搬出（横搬送）する方法である。
【００３６】
また、図１及び図２に示すように、搬出入口２１には、両開きの開閉扉２５が設けられ、開閉扉２５を開くことで、コンテナ本体１１の天井部及び側壁部に搬出入口２１が形成される。
【００３７】
開閉扉２５は、周壁パネル１３の一部と、天井パネル１４の一部と、が略逆Ｌ字状に連結させた部材を二枚配置して、コンテナ本体１１の長手方向に両開きとなるように形成される。開閉扉２５は、コンテナ本体１１の天井部における短手方向の両端及びコンテナ本体１１の側壁部における短手方向の上下端に設けられるレール２６に沿ってスライドすることで開閉する。
【００３８】
なお、コンテナ１０における開閉扉２５は両開きの扉により形成されているが、これに限定されるものではなく、コンテナ本体１１の天井部及び側壁部に搬出入口２１が形成される構成であれば、片開きの扉で構成しても構わない。
【００３９】
また、開閉扉２５は、周壁パネル１３の一部と、天井パネル１４の一部と、が略逆Ｌ字状に連結させた部材により形成されているが、これに限定されるものではなく、周壁パネル１３の部分と、天井パネル１４の部分とを別体の部材で構成した扉としても構わない。このような場合においては、図３（ａ）に示すように、周壁パネル１３の部分に形成される開閉扉２５Ａを、フォークリフト等の作業車両９０がフレコン５を搬出入できる程度に開閉可能な両開きの開き戸により形成しても構わない。また、図３（ｂ）に示すように、天井パネル１４の部分に形成される開閉扉２５Ｂを蛇腹形式の部材より形成しても構わない。
【００４０】
さらに、図４に示すように、コンテナ１０においては、コンテナ本体１１内の放射能濃度測定装置５０の載置台５６の近傍、すなわち、放射能濃度測定装置５０の測定位置近傍に、フレコン５を測定位置に案内するためのガイド部材２７を設けても構わない。図４（ｃ）に示すように、ガイド部材２７は、例えば、複数本の角パイプを連結することにより柵状に形成されるものである。図４（ａ）及び（ｂ）に示すように、ガイド部材２７は、載置台５６の近傍おける、搬出入口２１に対向する周壁パネル１３側、及びシンチレータ５１が配置される側に設けられる。
【００４１】
このように、ガイド部材２７を設けることで、フレコン５を載置台５６に載置する際に、フレコン５を測定中心に載置することができる。また、シンチレータ５１（特に、プラスチックシンチレータ）は振動に弱い一方で、測定の際には、極力、フレコン５に近づけて配置することが計測精度を高める点で好ましい。そのため、ガイド部材２７を上記のように配置することで、シンチレータ５１を保護可能な範囲内でフレコン５をシンチレータ５１に近づけることができる。
【００４２】
次に、本考案に係る放射能濃度測定装置用コンテナの第２実施例（コンテナ３０）について図面に基づき説明する。なお、第１実施例と同一の構成については符号を同一とし、その説明を省略する。
【００４３】
図５に示すように、第２実施例に係るコンテナ３０は、コンテナ１０と同様に、コンテナ本体３１と、吊下げ部３５と、から主に構成されている。コンテナ本体３１は、コンテナ本体１１と同様に、中空状の箱体であり、床板３２と、周壁パネル３３と、天井パネル３４と、から構成される。吊下げ部３５は、吊下げ部１５と同様に、コンテナ本体３１の天井部の四隅に形成され、クレーン等の吊り治具を係止可能な構成となっている。
【００４４】
また、コンテナ本体３１は、コンテナ本体１１と同様に、その内部に、測定室３６と、制御室３７と、が設けられている。
【００４５】
測定室３６は、重量計５４が配置されている第１エリア３６Ａと、シンチレータ５１が配置されている第２エリア３６Ｂと、に分かれている。すなわち、コンテナ３０においては、フレコン５（廃棄物）の重量測定と、廃棄物の放射能濃度測定と、を異なる位置で行う構成となっている。
【００４６】
第１エリア３６Ａにおいては、高さ測定装置５２を第１エリア３６Ａの上部に配置することが可能であり、高さ測定装置５２を配置することでフレコン５の高さが測定できる。
また、第１エリア３６Ａには、空気を吹きかけることによりパレットを洗浄するエアブロー８２が設けられている。
【００４７】
第２エリア３６Ｂにおいては、放射能濃度の測定位置下方の床面に、放射線を遮蔽する鉛等の遮蔽板８１を設置する。遮蔽板８１を設置することで、放射能濃度測定装置５０の測定精度を向上させることができる。
【００４８】
図５（ｂ）に示すように、制御室３７は、コンテナ本体３１の一端部に形成され、放射能濃度測定装置５０を制御するための制御装置２０（制御盤）が設置される。
【００４９】
さらに、コンテナ本体３１には、コンテナ本体３１の短手方向の一方の側壁部に形成される第１搬出入口４１と、コンテナ本体３１の天井部に形成される第２搬出入口４２と、コンテナ本体３１の短手方向の他方の側壁部に形成される第３搬出入口４３と、が設けられている。
【００５０】
第１搬出入口４１は、第１エリア３６Ａ側の側壁部、すなわち、フレコン５（廃棄物）の重量及び高さの測定位置の真横、の周壁パネル３３を開口することにより形成される。また、第１搬出入口４１には、フレコン５を載置したパレット６を搬送する第１コンベア４４（「搬送手段」の一例）が設けられている。第１コンベア４４は、第１搬出入口４１から第１エリア３６Ａ内の第２コンベア４５（「搬送手段」の一例）へのフレコン５の搬入、及び第２コンベア４５から第１搬出入口４１へのフレコン５（パレット６）の搬出を行う。また、第１コンベア４４は、パレット６を上下方向に昇降可能な昇降機構を有する。第１コンベア４４を設けることで、フレコン５（パレット６）の搬送処理が容易になる。
【００５１】
第２搬出入口４２は、第２エリア３６Ｂ側の天井部、すなわち、フレコン５（廃棄物）の放射能濃度の測定位置（載置台５６）の真上、の天井パネル３４を開口することにより形成される。
【００５２】
第３搬出入口４３は、第２エリア３６Ｂ側の側壁部、すなわち、フレコン５（廃棄物）の放射能濃度の測定位置（載置台５６）の真横、の周壁パネル３３を開口することにより形成される。また、第３搬出入口４３には、フレコン５を載置したパレット６を搬送する第４コンベア４７（「搬送手段」の一例）が設けられている。第４コンベア４７は、第３搬出入口４３から第２エリア３６Ｂ内の第３コンベア４６（「搬送手段」の一例）へのフレコン５の搬入、及び第３コンベア４６から第３搬出入口４３へのフレコン５（パレット６）の搬出を行う。また、第４コンベア４７は、パレット６を上下方向に昇降可能な昇降機構を有する。第４コンベア４７を設けることで、フレコン５（パレット６）の搬送処理が容易になる。
【００５３】
このように、コンテナ本体３１に、第１搬出入口４１、第２搬出入口４２、及び第３搬出入口４３が形成されることで、コンテナ本体３１へのフレコン５の搬送が、縦搬送（コンテナ本体３１の天井部からの搬送）及び横搬送（コンテナ本体３１の側壁部からの搬送）の双方が可能となる。例えば、フレコン５のコンテナ３０への搬出入方法としては、以下の方法が可能となる。
【００５４】
第１の方法として、フレコン５を第１コンベア４４を介して第１搬出入口４１から搬入（横搬送）し、第１エリア３６Ａにてフレコン５の重量及び高さの測定をし、第２エリア３６Ｂにてフレコン５（廃棄物）の放射能濃度の測定をした後、第２搬出入口４３から第４コンベア４７を介して搬出（横搬送）する方法である。
【００５５】
第２の方法として、フレコン５を第１コンベア４４を介して第１搬出入口４１から搬入（横搬送）し、第１エリア３６Ａにてフレコン５の重量及び高さの測定をし、第２エリア３６Ｂにてフレコン５（廃棄物）の放射能濃度の測定をした後、フレコン５をクレーン等により吊り上げて第２搬出入口４２から搬出（縦搬送）する方法である。
【００５６】
第３の方法としては、クレーン等により吊り下げたフレコン５を第２搬出入口４２から搬入（縦搬送）し、第２エリア３６Ｂにてフレコン５（廃棄物）の放射能濃度の測定をし、第１エリア３６Ａにてフレコン５の重量及び高さの測定をした後、第１搬出入口４１から第１コンベア４４を介して搬出（横搬送）する方法である。
【００５７】
第４の方法としては、フレコン５を第４コンベア４７を介して第３搬出入口４３から搬入（横搬送）し、第２エリア３６Ｂにてフレコン５（廃棄物）の放射能濃度の測定をし、第１エリア３６Ａにてフレコン５の重量及び高さの測定をした後、第１搬出入口４１から第１コンベア４４を介して搬出（横搬送）する方法である。
【００５８】
また、図５（ｂ）に示すように、第１搬出入口４１には、観音開き（両開き）の第１開閉扉４８が設けられ、第１開閉扉４８を開くことで、コンテナ本体３１の第１エリア３６Ａ側の側壁部に第１搬出入口４１が形成される。
【００５９】
さらに、第２搬出入口４２には、周壁パネル３３の一部と、天井パネル３４の一部と、が略逆Ｌ字状に連結させた部材をコンテナ本体３１の長手方向に片開きとなるように形成される第２開閉扉４９が設けられ、第２開閉扉４９を開くことで、コンテナ本体３１の第２エリア３６Ｂ側の天井部及び側壁部に第２搬出入口４２が形成される。
【００６０】
さらにまた、第３搬出入口４３には、観音開き（両開き）の第３開閉扉６１が設けられ、第３開閉扉６１を開くことで、コンテナ本体３１の第２エリア３６Ｂ側の側壁部に第３搬出入口４３が形成される。
【００６１】
なお、第２開閉扉４９は、周壁パネル３３の一部と、天井パネル３４の一部と、が略逆Ｌ字状に連結させた部材により形成されているが、これに限定されるものではなく、天井パネル１４の部分のみで扉を構成しても構わない。すなわち、コンテナ本体３１の第２エリア３６Ｂ側の天井部のみに第２搬出入口４２を形成する構成としても構わない。さらにまた、コンテナ本体３１の天井部における第２開閉扉４９を蛇腹形式の部材より形成しても構わない。
【００６２】
さらに、図５（ａ）に示すように、コンテナ３０には、第３搬出入口４３（第１搬出入口４１）においてフレコン５を搬出した後のパレット６（フレコン５が載置されていないパレット６）を、フレコン５を搬入する第１搬出入口４１（第３搬出入口４３）まで戻すパレットリターン装置６２が設けられている。パレットリターン装置６２は、第２エリア３６Ｂ内の第３コンベア４６の下部に設けられる第１リターンコンベア６３と、第１エリア３６Ａ内の第２コンベア４５の下部に設けられる第２リターンコンベア６４と、から主に構成される。
【００６３】
パレットリターン装置６２においては、第３搬出入口４３の第４コンベア４７からフレコン５が搬出されてパレット６のみになると、第４コンベア４７がパレット６を載置した状態で第１リターンコンベア６３と同一高さまで下降する。そして、第４コンベア４７に載置されているパレット６が第１リターンコンベア６３に搬送される。さらに、パレット６が第１リターンコンベア６３から第２リターンコンベア６４に搬送され、第２リターンコンベア６４と同一高さまで下降している第１コンベア４４まで搬送される。そして、第１コンベア４４がパレット６を載置した状態で上昇することにより、パレット６が第１搬出入口４１まで戻ってくる。
【００６４】
また、パレットリターン装置６２においては、第１搬出入口４１の第１コンベア４４からフレコン５が搬出されてパレット６のみになると、第１コンベア４４がパレット６を載置した状態で第２リターンコンベア６４と同一高さまで下降する。そして、第１コンベア４４に載置されているパレット６が第２リターンコンベア６４に搬送される。さらに、パレット６が第２リターンコンベア６４から第１リターンコンベア６３に搬送され、第１リターンコンベア６３と同一高さまで下降している第４コンベア４７まで搬送される。そして、第４コンベア４７がパレット６を載置した状態で上昇することにより、パレット６が第３搬出入口４３まで戻ってくる。
【００６５】
このように、コンテナ３０においては、パレットリターン装置６２を設けることで、フレコン５が載置されていない空のパレット６をフレコン５の搬出口から搬入口まで戻すことができる。
【００６６】
さらにまた、図６に示すように、コンテナ３０においては、コンテナ本体３１の長手方向の一方の側壁部に第４搬出入口７１を追加して設けても構わない。
第４搬出入口７１は、第２エリア３６Ｂ側の側壁部、すなわち、フレコン５（廃棄物）の放射能濃度の測定位置（載置台５６）の真横、の周壁パネル３３を開口することにより形成される。なお、第４搬出入口７１の開閉は、第２開閉扉４９により行う。
また、第４搬出入口７１には、フレコン５を載置したパレット６を搬送する第５コンベア７２が設けられている。第５コンベア７２は、第３コンベア４６から第４搬出入口７１へのフレコン５の搬出を行う。
【００６７】
コンテナ本体３１に第４搬出入口７１を追加して設けることにより、放射能濃度測定装置５０の測定結果に応じて、フレコン５を第３搬出入口４３又は第４搬出入口７１に振り分けて搬出することができる。すなわち、放射能濃度測定装置５０の測定結果に応じて、コンテナ本体３１内の廃棄物を搬出すべき搬出入口を決定できる。例えば、放射能濃度測定装置５０によりフレコン５（廃棄物）の放射能濃度を測定し、その放射能濃度が一定の基準値以下のフレコン５（廃棄物）、すなわち、焼却処分が可能な廃棄物、については第３搬出入口４３から搬出し、その放射能濃度が上記基準値を超えるフレコン５（廃棄物）、すなわち、放射性廃棄物として厳格に管理等を行う廃棄物、については第４搬出入口７１から搬出するように、コンテナ本体３１内の廃棄物を搬出すべき搬出入口を決定する。
【００６８】
さらにまた、図７に示すように、コンテナ３０においては、第１コンベア４４及び第４コンベア４７をコンテナ本体３１内に設けるとともに、第１コンベア４４及び第４コンベア４７の一端部を折れ曲げ可能な構成とすることもできる。すなわち、フレコン５をコンテナ本体３１に対して搬出入させる場合には、第１コンベア４４及び第４コンベア４７の一端部をコンテナ本体３１から出し、作業終了時には、第１コンベア４４及び第４コンベア４７の一端部をコンテナ本体３１内に収納する。このように、第１コンベア４４及び第４コンベア４７を構成することで、コンテナ３０の移動を容易に行うことができる。
第１コンベア４４及び第４コンベア４７は、その一端部が油圧シリンダ等により折れ曲がるように構成される。
【００６９】
以上のように、コンテナ本体１１・３１がその内部に放射能濃度測定装置５０を設置した状態で搬送可能に構成されるとともに、コンテナ本体１１・３１に対してフレコン５（廃棄物）を搬出入する搬出入口の位置が、コンテナ１０・３０の設置状況に応じて変更可能であることから、被災地各地における様々な作業状況の屋外仮置き場において、廃棄物の放射能濃度の測定を行うことができる。
【符号の説明】
【００７０】
５              フレコン（廃棄物）
６              パレット（搬送用パレット）
１０、３０      コンテナ
１１、３１      コンテナ本体
１２            床板
１３            周壁パネル
１４            天井パネル
２１            搬出入口
２７            ガイド部材
４１            第１搬出入口
４２            第２搬出入口
４３            第３搬出入口
４４            第１コンベア（搬送手段）
４５            第２コンベア（搬送手段）
４６            第３コンベア（搬送手段）
４７            第４コンベア（搬送手段）
５０            放射能濃度測定装置
６２            パレットリターン装置
７１            第４搬出入口
８１            遮蔽板
【図１】
0003192080.tif 000003
【図２】
0003192080.tif 000004
【図３】
0003192080.tif 000005
【図４】
0003192080.tif 000006
【図５】
0003192080.tif 000007
【図６】
0003192080.tif 000008
【図７】
0003192080.tif 000009